(57)【要約】【課題】他のソフトウエアを起動させることなく、フォントの変更を行うことが可能な数式作成プログラムを提供することを課題とする。【解決手段】本発明は、所定のコード体系４０中の数字、文字、および記号に基づいてコンピュータに数式を作成させるべく機能する数式作成プログラムであって、前記所定のコード体系４０と異なる他のコード体系５０中の数字、文字、および記号が、前記所定のコード体系４０中の数字、文字、および記号に関連づけて保持可能であり、前記所定のコード体系４０中の数字、文字、および記号を入力することによって、前記他のコード体系５０中の数字、文字、および記号を用いた数式が作成可能であることを特徴としている。【選択図】　図６
2004070864.tif 000002
【特許請求の範囲】
【請求項１】
所定のコード体系中の数字、文字、および記号に基づいてコンピュータに数式を作成させるべく機能する数式作成プログラムであって、
前記所定のコード体系と異なる他のコード体系中の数字、文字、および記号が、前記所定のコード体系中の数字、文字、および記号に関連づけて保持可能であり、
前記所定のコード体系中の数字、文字、および記号を入力することによって、前記他のコード体系中の数字、文字、および記号を用いた数式が作成可能であることを特徴とする数式作成プログラム。
【請求項２】
前記所定のコード体系を複数有し、前記所定のコード体系と異なる複数の他のコード体系中の数字、文字、および記号が、選択された各所定のコード体系中の数字、文字、および記号に関連づけて保持可能であり、
いずれかの前記所定のコード体系中の数字、文字、および記号を入力することによって、その所定のコード体系に関連づけられた他のコード体系中の数字、文字、および記号を用いた数式が作成可能である
請求項１に記載の数式作成プログラム。
【請求項３】
所定のコード体系中の数字、文字、および記号に基づいて数式を作成させるべく機能するプログラムを記録したコンピュータ読み取り可能な記録媒体であって、
前記所定のコード体系と異なる他のコード体系中の数字、文字、および記号が、前記所定のコード体系中の数字、文字、および記号に関連づけて保持可能であり、
前記所定のコード体系中の数字、文字、および記号を入力することによって、前記他のコード体系中の数字、文字、および記号を用いた数式が作成可能である数式作成プログラムを記録した
ことを特徴とするコンピュータ読み取り可能な記録媒体。
【請求項４】
前記所定のコード体系を複数有し、前記所定のコード体系と異なる複数の他のコード体系中の数字、文字、および記号が、選択された各所定のコード体系中の数字、文字、および記号に関連づけて保持可能であり、
いずれかの前記所定のコード体系中の数字、文字、および記号を入力することによって、その所定のコード体系に関連づけられた他のコード体系中の数字、文字、および記号を用いた数式が作成可能である数式作成プログラムを記録した
請求項３に記載のコンピュータ読み取り可能な記録媒体。
【発明の詳細な説明】
【０００１】
【発明の属する技術分野】
本発明は、所定のコード体系中の数字、文字、および記号に基づいてコンピュータに数式を作成させるべく機能する数式作成プログラムに関するものである。また、本発明は、所定のコード体系中の数字、文字、および記号に基づいて数式を作成させるべく機能するプログラムを記録したコンピュータ読み取り可能な記録媒体に関するものである。
【０００２】
【従来の技術】
コンピュータを用いて、ディスプレイに文書等を表示する場合、文字コードとフォントとを用いて各文字等を特定して表示するのは周知である。
文字コードは、一般にＪＩＳ等によって標準化され、それぞれの文字が二進数で表現される。例えば、キーボードの「ａ」というキーを打鍵すると、コンピュータ内部においては「０１１００００１」という二進数が記憶され、ディスプレイ上には「ａ」と表示される。なお、異なる文字には、異なる二進数が対応している。
【０００３】
従来から知られている数式作成プログラムにおいても、基本的には、一般的な文書等を作成して表示する場合と同様に、文字コードとフォントとを用いて各文字等を特定して表示している。ただし、数式等を作成する場合には、一般的な文書等と異なり、上付文字や下付文字等の特殊な記載方法を頻繁に使用するため、従来の数式作成プログラムにおいては、所定の文字を選択した場合には、上付文字や下付文字等を入力するための入力ボックスが必要に応じて表示されるべく構成されている。また、各文字（Ｘ、Ｙ等）あるいは単語（ｓｉｎ、ｃｏｓ等）の間隔については、その文字等毎に自動的に調整可能に構成されている。
【０００４】
上記従来技術にかかる数式作成プログラムにおいては、数式を作成する場合に使用される数字、文字、および記号等がある程度限られるため、頻繁に使用される数字等にて構成された、そのプログラム独特のコード体系を有しているのが一般的である。
【０００５】
したがって、従来技術にかかる数式作成プログラムによれば、所定のコード体系に基づいて文字等を入力し、必要に応じて添え字等を入力する入力ボックスが表示されるため、比較的簡単に、コンピュータを用いて数式を作成することが可能となる。
【０００６】
さて、数式作成プログラムを用いて数式を作成して出版業務等を行うユーザにおいては、出版する本の種類等に応じて、文字のフォントを変更（このプログラムにて用意されていないフォントに変更）しなければならない場合がある。
また、ユーザによっては、好みのフォントがあり（または好みのフォントが変わり）、数式作成プログラムにて予め用意されているフォント以外のフォントを使用したい場合がある。
【０００７】
従来の数式作成プログラムは、上述したように、プログラム独特のコード体系とフォントとを有し、このコード体系中における文字コードに基づいて予め定められたフォントにて文字等を表示している。また、他のフォントを用いる場合、そのフォントの文字におけるコード体系が、この数式作成プログラムのコード体系と異なる場合もある。
したがって、文字のフォントを変更したい場合には、原則として変更したい文字をこの独特のコード体系中に組み込む必要がある。
【０００８】
具体的には、変更したい文字を含んだ新たなコード体系を作成し、この新たなコード体系を、数式作成プログラムにて使用可能なように、設定する（インストールする）必要がある。
ここで、「新たなコード体系を作成」する方法としては、例えば、市販されているＦｏｎｔｏｇｒａｐｈｅｒ（Ｍａｃｒｏｍｅｄｉａ，Ｉｎｃ．製）等のソフトウエア（以下、「他のソフトウエア」ともいう。）を用いて作成する方法があげられる。このＦｏｎｔｏｇｒａｐｈｅｒを用いれば、数式作成プログラムにて使用されているコード体系と同様の体系中に、新たに使用したいフォントを有する文字をコピー（＆ペースト）することができるため、新たなフォントを有しつつ、数式作成プログラムにて使用可能な、新たなコード体系を作成することができる。
【０００９】
【発明が解決しようとする課題】
しかしながら、上記従来技術においては、次のような問題があった。
【００１０】
上述したように、従来の数式作成プログラムにおいては、他のフォント（予め設定されているフォント以外のフォント）を使用したい場合、そのフォントを含んだ新たなコード体系を作成する必要があり、かかるコード体系を作成する際には、数式作成プログラム以外の他のソフトウエアを用いる必要があった。
したがって、かかる他のソフトウエアを起動および使用する際の作業が煩雑であり、数式作成プログラムを用いつつ、他のソフトウエアを使用すると、コンピュータのＣＰＵに負荷がかかり、処理スピードが低下するという問題があった。また、他のソフトウエアにて新たに作成したコード体系を数式作成プログラムにインストールしなければならないため、作業が煩雑であるという問題があった。
【００１１】
さらに、従来技術によれば、一つの文字のみを変更する場合であっても、コード体系全体を作成した後に、かかるコード体系を数式作成プログラムにインストールする必要があっため、コンピュータの記憶容量が圧迫されるという問題があった。
【００１２】
また、コード体系全体で一つのファイルを形成して、数式作成プログラムにおいては、そのファイルを使用して数式を作成するため、オペレータが交代した場合、またはフォントを元に戻したい場合等、どの文字のフォントの変更を行ったのかが、判別しづらいという問題があった。
【００１３】
そこで、本発明は、上記従来技術の問題を解決するためになされたものであって、他のソフトウエアを起動させることなく、フォントの変更を行うことが可能な数式作成プログラムを提供することを課題とする。また、新たなコード体系等を作成することなく、フォントの変更を行うことができる数式作成プログラムを提供することを課題とする。さらに、フォントの変更を容易に判別することができる数式作成プログラムを提供することを課題とする。
【００１４】
【課題を解決するための手段】
上記従来技術の課題を解決するためになされた本発明にかかるプログラムは、所定のコード体系中の数字、文字、および記号に基づいてコンピュータに数式を作成させるべく機能する数式作成プログラムであって、前記所定のコード体系と異なる他のコード体系中の数字、文字、および記号が、前記所定のコード体系中の数字、文字、および記号に関連づけて保持可能であり、前記所定のコード体系中の数字、文字、および記号を入力することによって、前記他のコード体系中の数字、文字、および記号を用いた数式が作成可能であることを特徴としている。
【００１５】
また、本発明にかかる数式作成プログラムにおいては、前記所定のコード体系を複数有し、前記所定のコード体系と異なる複数の他のコード体系中の数字、文字、および記号が、選択された各所定のコード体系中の数字、文字、および記号に関連づけて保持可能であり、いずれかの前記所定のコード体系中の数字、文字、および記号を入力することによって、その所定のコード体系に関連づけられた他のコード体系中の数字、文字、および記号を用いた数式が作成可能である構成が好ましい。
【００１６】
さらに、上記従来技術の課題を解決するためになされた本発明にかかる記録媒体は、所定のコード体系中の数字、文字、および記号に基づいて数式を作成させるべく機能するプログラムを記録したコンピュータ読み取り可能な記録媒体であって、前記所定のコード体系と異なる他のコード体系中の数字、文字、および記号が、前記所定のコード体系中の数字、文字、および記号に関連づけて保持可能であり、前記所定のコード体系中の数字、文字、および記号を入力することによって、前記他のコード体系中の数字、文字、および記号を用いた数式が作成可能である数式作成プログラムを記録したことを特徴としている。
【００１７】
また、本発明にかかるコンピュータ読み取り可能な記録媒体においては、前記所定のコード体系を複数有し、前記所定のコード体系と異なる複数の他のコード体系中の数字、文字、および記号が、選択された各所定のコード体系中の数字、文字、および記号に関連づけて保持可能であり、いずれかの前記所定のコード体系中の数字、文字、および記号を入力することによって、その所定のコード体系に関連づけられた他のコード体系中の数字、文字、および記号を用いた数式が作成可能である数式作成プログラムを記録した構成が好ましい。
【００１８】
【発明の実施の形態】
以下、図面に基づき本発明の実施の形態について説明する。
【００１９】
図１は、本発明の実施形態にかかる数式作成プログラムを用いて数式を作成する場合におけるフローチャートを示したものである。具体的には、フォントの変更を行う処理、および数式を作成する処理等のフローチャートを示したものである。
また、図２から図９は、コンピュータにて数式作成プログラムを起動させ、実際に数式を作成する場合におけるディスプレイ上の表示状態等を示した図である。
以下、図１から図９を参照しつつ、本実施形態にかかる数式作成プログラムについて説明する。
【００２０】
まず、本実施形態にかかる数式作成プログラムを起動させると（ステップＳ１０１）、ディスプレイ上には、新規数式を作成するための作業フィールド１１、複数のメニューを選択可能なメニューバー１２、および数式作成時に頻繁に使用される種々の記号等を選択可能としたテンプレート１３を備えたウィンドウ１０が表示される（図２参照）。
ここで、「ウィンドウ」とは、コンピュータの操作画面（ディスプレイ）内に、独立して表示される所定領域を有する矩形状の表示領域であり、この表示領域内においては、画像や文書等を表示することが可能である。
【００２１】
図２に示すように数式作成プログラム起動させた後、実際に数式の作成を開始する場合には、作業フィールド１１内の所定位置（オペレータが希望する任意の位置）に、カーソル１１ａを移動させて、その位置から、テンプレート１３やキーボード等の入力手段（図示省略）を用いて、数式の作成を開始する。
ただし、本実施形態にかかる数式作成プログラム内に保有されている特定文字コード表（本発明の「所定のコード体系」に相当）とは異なる他の文字コード表（本発明の「他のコード体系」に相当）中の文字等を使用する場合には、かかる文字について、特定の登録処理（後述するステップＳ１０２〜Ｓ１０７の処理）（以下「カスタマイズ処理」という。）を行う必要がある。
そこで、以下においては、カスタマイズ処理を行った後に、数式の作成処理を開始等する場合について説明する。具体的には、オペレータが、「Ｙ」の小文字のフォントを変更したい場合について説明する。
【００２２】
カスタマイズ処理を行う場合には、まず、ウィンドウ１０のメニューバー１２中の「ツール」部１２ａをクリックし、図３に示すように、「文字コードカスタマイズ（Ｍ）…」部１２ｂをクリックする（Ｓ１０２）。そうすると、図４に示すように、コンピュータのディスプレイ上には、「文字コードカスタマイズ」画面２０が表示される。
【００２３】
次に、文字コードカスタマイズ画面２０中の「登録（Ｎ）…」部２０ａをクリックして、図５に示すように、ディスプレイ上に、「文字コード変換登録」画面３０を表示させる。この文字コード変換登録画面３０は、「変換元」指定領域３１と「変換先」指定領域３２とを有している。
【００２４】
次に、図６に示すように、コンピュータのディスプレイ上に、本実施形態にかかる数式作成プログラムに関連づけて記憶されている特定文字コード表４０（本発明の「所定のコード体系」に相当）（例えば、フォントＡの文字にて構成されたコード表）と、この特定文字コード表４０とは異なる他の文字コード表５０（本発明の「他のコード体系」に相当）（例えば、使用したいフォントＣの文字にて構成されたコード表）とを表示させる（Ｓ１０３，Ｓ１０４）。ここで、「フォントＡ」および「フォントＣ」とは、各コード表４０，５０を構成する文字がそれぞれ異なるフォントを有することを示すために、便宜上定めたものである。
なお、この図６においては、両方のコード表４０，５０上に「Ｙ」の小文字が拡大して示されているが、これは、このカスタマイズ処理において「Ｙ」の小文字についての処理を行うことをイメージ的に表現したものであって、実際にディスプレイ上で拡大表示されるわけではない。
【００２５】
さて、上述したように、特定文字コード表４０は、数式作成プログラムにて通常使用されるコード体系を有するものの一つであり、他の文字コード表５０は、この数式作成プログラムにて使用されるコード体系と異なるコード体系を有するものである。したがって、例えば、他の文字コード表５０を、そのまま本実施形態にかかる数式作成プログラムにて使用すると、コード体系が異なることから同一の文字（例えば、「Ｙ」の小文字）でもそのコードが異なる場合があり、そのような場合には意図した文字（ここでは、コード表５０中の「Ｙ」の小文字５０１）が表示されない場合がある。
【００２６】
そこで、本実施形態にかかる数式作成プログラムにおいては、このプログラムにて通常使用されるコード体系を有する特定文字コード表を複数保有し、必要に応じて、特定文字コード表の文字（例えば「Ｙ」の小文字４０１）と、異なるコード体系中の文字（例えば、フォントは異なるが同一文字である「Ｙ」の小文字５０１）とを関連づけている。
【００２７】
具体的には、図６に示すように、二つのコード表４０，５０を表示した後に、それぞれのコード表４０，５０から、所望の文字４０１，５０１を選択し、選択した文字４０１，５０１を文字コード変換登録画面３０の変換元指定領域３１および変換先指定領域３２に指定して設定する（Ｓ１０５，Ｓ１０６）。
すなわち、図７に示すように、変換元指定領域３１には、特定文字コード表４０中の文字４０１と、この文字のコード「ｆ５８９」４０１ａおよび書体「和文１　ＲｇＰ本明朝…」４０１ｂ（フォントＡ）とを指定して、変換先指定領域３２には、異なるコード表５０中の文字５０１と、この文字のコード「７９」５０１ａおよび書体「欧文　４９　Ｔｉｍｅｓ　Ｎｅｗ　Ｒｏｍａｎ…」５０１ｂ（フォントＣ）とを指定して、文字コード変換登録画面３０における「ＯＫ」部３０ａをクリックする（Ｓ１０７）。
【００２８】
上述した一連の処理（Ｓ１０２〜Ｓ１０７）を行うことによって、カスタマイズ処理が完了し、図８に示すように、文字コードカスタマイズ画面２０上においては、設定されたコード４０１ａ，５０１ａについての関連づけが記憶される。
【００２９】
以上のようにして、カスタマイズ処理が終了し、カスタマイズ処理を行った部分（Ｙの小文字）以外については、図６にて示した特定文字コード表４０が、デフォルト状態（初期状態）のときに使用するコード表として設定されていると、実際に数式を作成した場合には、カスタマイズ処理した部分以外については、全ての文字が特定文字コード表４０から選択されて表示される。
【００３０】
例えば、このような状態において、図９に示すように、キーボード等の入力手段を用いて、ウィンドウ１０の作業フィールド１１内に数式９０の入力作業が行われると（ステップＳ１０８）、この数式９０中における「Ｙ」の小文字には、「変換先」に指定されている文字５０１が表示されることとなる。
【００３１】
そして、必要な数式の入力作業（Ｓ１０８）および数式の編集・保存作業（ステップＳ１０９）等を行った後には、数式作成プログラムそのものを終了させて（ステップＳ１１０）、この数式作成プログラムを用いた一連の作業が完了する。
【００３２】
ところで、上記図９においては、カスタマイズ処理を行った後に、数式９０を作成した場合の表示状態を示したが、例えば、図６にて示した特定文字コード表４０のみがデフォルト状態（初期状態）のときに使用するコード表として設定され、特にカスタマイズ処理が行われていない場合には、ウィンドウ１０の作業フィールド１１内に数式９０がキーボード等にて入力されると、この数式９０中における「Ｙ」の小文字には、特定文字コード表４０に含まれていた文字４０１が使用されることとなる（図１０参照）。
【００３３】
本実施形態にかかる数式作成プログラムは、以上のように構成され機能するため、次のような効果を得ることができる。
なお、上述した本実施形態にかかる数式作成プログラムは、ＣＤ−Ｒ、ＤＶＤ−Ｒ等の種々の記録媒体に記録した状態で使用しても、または、かかるプログラムをサーバ上に保持し、インターネット等のネットワークを介して使用してもよい。
【００３４】
まず、本実施形態にかかる数式作成プログラムにおいては、このプログラム自身が、フォント等の変更を行うことができる「カスタマイズ処理」機能を有しているため、従来のごとく他のソフトウエア等を起動させる必要がない。
したがって、本実施形態によれば、他のソフトウエアの使用方法等の知識が不要であり、また他のソフトウエアを起動させ実際に作業を行う等の煩雑な処理を実施する必要がない。よって、数式作成時の処理効率を向上させるとことができる。また、他のソフトウエアを使用する必要がないため、コンピュータ自身（特にＣＰＵ）にかかる負荷も低減することが可能となって、より作業効率を向上させることができる。
【００３５】
また、他のソフトウエアを用いていた従来技術のごとく、フォント変更（異なるコード体系中の文字の選択）のたびに、新たなコード体系（コード表）を作成し記憶する必要がないため、本実施形態によれば、コンピュータの記憶容量の圧迫を低減させることができる。
【００３６】
さらに、本実施形態においては、文字コードカスタマイズ画面２０中の各データを確認すれば、どの文字がどのフォントとリンクしているのかが容易に認識可能である。したがって、本実施形態によれば、オペレータが交代した場合であっても、またフォントを元に戻したい場合であっても、文字コードカスタマイズ画面２０中の各データを確認することによって、どの文字のフォント等の変更を行ったのかが、明確に判別することができる。
【００３７】
また、本実施形態にかかるカスタマイズ処理にて記憶され利用されるデータは、一つのファイルとして保存可能である。したがって、本実施形態によれば、このカスタマイズ処理に関するファイルを、仕事の案件別あるいはユーザ別に、容易に管理することができる。また、一つのファイルとして作成した後に、記録媒体あるいはインターネット等のネットワークを介して、他のコンピュータにて使用することが可能であるため、複数人で同じ作業を容易に行うことができる。
【００３８】
さらに、従来技術によれば、例えば、フォントＡの文字をフォントＣに変更する場合、通常はフォントＡにて数式を入力した後に変更したい文字を個別に選択してフォントＣに設定し直す（変換する）という作業が必要であった。しかしながら、本実施形態によれば、カスタマイズ処理を行って、所望の文字については、フォントＡにフォントＣを関連づけているため、フォントＡにて入力処理を行うだけで、ディスプレイ上においては、フォントＣの文字が表示されることとなる。したがって、本実施形態によれば、入力後の「個別選択」および「変換」等の処理を行う必要がないため、数式作成時の作業効率を向上させることが可能となる。
【００３９】
また、従来技術においては、新たなコード体系のインストールが必要であったが、本実施形態によれば、変更したい各文字毎の処理を行うのみであるため、インストール処理等の煩雑な作業をなくすことができる。
【００４０】
なお、本発明は上記実施形態に限定されるものではなく、その趣旨を逸脱しない限りにおいて、上述したもの以外に種々の変更を行うことが可能である。
【００４１】
例えば、上記実施形態においては、先書体（変換先（変換先指定領域３２）の書体）が異なるコード表（コード体系）中の文字から選択される場合について説明したが、本発明はこの構成に限定されるわけではなく、必要に応じて、同一あるいは同様のコード体系を有するコード表中から先書体が選択されてもよい。
【００４２】
また、上記実施形態においては、一つの文字についてのみカスタマイズ処理を行う場合について説明したが、本発明はこの構成に限定されず、複数の文字についてカスタマイズ処理を行ってもよい。
【００４３】
さらに、上記実施形態においては、一つの特定文字コード表４０の所定文字４０１に、一つの他の文字コード表５０の所定文字５０１を関連づける場合について説明したが、本発明はこの構成に限定されない。したがって、例えば、複数の特定文字コード表（コード体系が同一でフォントのみが異なるコード表）を備え、特定文字コード表と異なるコード体系を有する複数のコード表中の所定文字等について、いずれかの特定文字コード表中の所定文字等を関連づけるべく、数式作成プログラムを構成してもよい。
具体的には、図１１に示すように、同一元コードを有しフォントが異なる五つの文字６００のそれぞれについて、コード体系あるいはコード数の異なる五つの文字７００をそれぞれ関連づけるべく構成してもよい。
このような構成によれば、同一の文字（例えば「Ｙ」の小文字）を入力した後であっても、どの特定文字コード表についての文字を選択するかに応じて、それぞれ異なるコード体系を有する複数の文字から、必要とするフォント等を備えた文字を選択することができる。
【００４４】
【発明の効果】
以上のように、本発明によれば、他のソフトウエアを起動させることなく、フォントの変更を行うことが可能な数式作成プログラムを得ることができる。また、新たなコード体系等を作成することなく、フォントの変更を行うことができる数式作成プログラムを得ることができる。さらに、フォントの変更を容易に判別することができる数式作成プログラムを得ることができる。
【図面の簡単な説明】
【図１】本発明の実施形態にかかる数式作成プログラムを用いて数式を作成する場合におけるフローチャートを示したものである。
【図２】本実施形態にかかる数式作成プログラムを起動させた際のディスプレイ上の表示状態を示した図である。
【図３】本実施形態にかかる数式作成プログラムを起動させた後、カスタマイズ処理を選択する状態を示した図である。
【図４】本実施形態にかかる数式作成プログラムにおいて文字コードカスタマイズ画面を表示させた状態を示した図である。
【図５】本実施形態にかかる数式作成プログラムにおいて文字コード変換登録画面を表示させた状態を示した図である。
【図６】本実施形態にかかる数式作成プログラムと共に複数のコード表をディスプレイ上に表示させた状態を示した図である。
【図７】本実施形態にかかる文字コード変換登録が行われた後の文字コード変換登録画面を示した図である。
【図８】本実施形態にかかる文字コード変換登録が行われた後の文字コードカスタマイズ画面を示した図である。
【図９】本実施形態にかかるカスタマイズ処理が行われた後に作成された数式の一例を示した図である。
【図１０】特にカスタマイズ処理を行うことなく作成された数式の一例を示した図である。
【図１１】カスタマイズ処理を行って同一元コードを複数登録した例を示す図である。
【符号の説明】
１０…ウィンドウ
１１…作業フィールド
１１ａ…カーソル
１２…メニューバー
１３…テンプレート
２０…文字コードカスタマイズ画面
３０…文字コード変換登録画面
３１…変換元指定領域
３２…変換先指定領域
４０…特定文字コード表
５０…他の文字コード表
【図１】
2004070864.tif 000003
【図２】
2004070864.tif 000004
【図３】
2004070864.tif 000005
【図４】
2004070864.tif 000006
【図５】
2004070864.tif 000007
【図６】
2004070864.tif 000008
【図７】
2004070864.tif 000009
【図８】
2004070864.tif 000010
【図９】
2004070864.tif 000011
【図１０】
2004070864.tif 000012
【図１１】
2004070864.tif 000013